(57)【要約】【課題】組み立て、固定等の付帯作業負担が軽減され、搬送及び保管が容易となるポータブル多機能槽を提供する。【解決手段】ポータブル多機能槽１０は、長方形底部１１と、長方形底部１１の長辺及び短辺に連接する長尺側壁部１２（ａ）、１３（ｂ）及び短尺側壁部１４（ｃ）、１５（ｄ）とを有するシート材１６で構成され、シート材１６はゴム及び可撓性を有する合成樹脂のいずれか一方又は双方からなり、長尺側壁部１２、１３は長手方向の片側又は両側に開口して長尺側支持部材１７、１９の挿入が可能な長尺側収納部１８、２０を備え、短尺側壁部１４、１５は長手方向の片側又は両側に開口して短尺側支持部材２１、２３の挿入が可能な短尺側収納部２２、２４を備え、長尺側壁部１２、１３と短尺側壁部１４、１５の隣り合う端部同士は接合されて、上部開放の四角筒状体となっている。【選択図】図１
2018033589.tif 000002
【特許請求の範囲】
【請求項１】
防水性の底部と、該底部の周囲に配置された防水性の側壁部とを有するシート材で構成されたポータブル多機能槽であって、
前記シート材はゴム及び可撓性を有する合成樹脂のいずれか一方又は双方からなり、
前記側壁部は、複数の分割された分割側壁部を有し、隣り合う前記分割側壁部は防水状態で接合され、かつ前記分割側壁部は筒状となって、内部に支持部材が取り外し可能に挿入されて、前記支持部材を前記分割側壁部から取り外した状態で、折り畳み又はロール巻き可能となっていることを特徴とするポータブル多機能槽。
【請求項２】
請求項１記載のポータブル多機能槽において、前記底部が円形となって、前記分割側壁部は平面視して円弧状となっていることを特徴とするポータブル多機能槽。
【請求項３】
請求項１記載のポータブル多機能槽において、前記底部が多角形となって、前記分割側壁部は平板状となっていることを特徴とするポータブル多機能槽。
【請求項４】
請求項２又は３記載のポータブル多機能槽において、前記分割側壁部の隣り合う端部同士は、（１）接着剤、（２）接着剤と縫製の組合わせ、（３）防水ファスナ、（４）熱融着のいずれか１によって接合されていることを特徴とするポータブル多機能槽。
【請求項５】
請求項１〜４のいずれか１項に記載のポータブル多機能槽において、隣り合う前記分割側壁部の端部同士を接合して形成される接合部の外側には、接合を補強する保持手段が設けられていることを特徴とするポータブル多機能槽。
【請求項６】
請求項１〜５のいずれか１項に記載のポータブル多機能槽において、前記側壁部の下部には排水用の補助液路が設けられ、該補助液路には排出口が設けられていることを特徴とするポータブル多機能槽。
【請求項７】
防水性の長方形底部と、該長方形底部の長辺及び短辺にそれぞれ連接して設けられた防水性の長尺側壁部ａ、ｂ及び防水性の短尺側壁部ｃ、ｄとを有するシート材で構成されたポータブル多機能槽であって、
前記シート材はゴム及び可撓性を有する合成樹脂のいずれか一方又は双方からなり、
前記長尺側壁部ａ、ｂはそれぞれ長手方向の片側又は両側に開口して長尺側支持部材の挿入が可能な長尺側収納部を備え、
前記短尺側壁部ｃ、ｄはそれぞれ長手方向の片側又は両側に開口して短尺側支持部材の挿入が可能な短尺側収納部を備え、
前記長尺側壁部ａ、ｂと前記短尺側壁部ｃ、ｄの隣り合う端部同士は接合されて、上部開放の四角筒状体となって、しかも、前記長尺側収納部から前記長尺側支持部材を、前記短尺側収納部から前記短尺側支持部材をそれぞれ外した状態で、折り畳み又はロール巻き可能となっていることを特徴とするポータブル多機能槽。
【請求項８】
請求項７記載のポータブル多機能槽において、前記長尺側壁部ａ、ｂと前記短尺側壁部ｃ、ｄの隣り合う端部同士は、（１）接着剤、（２）接着剤と縫製の組合わせ、（３）防水ファスナ、（４）熱融着のいずれか１によって接合されていることを特徴とするポータブル多機能槽。
【請求項９】
請求項７又は８記載のポータブル多機能槽において、前記長尺側壁部ａ、ｂと前記短尺側壁部ｃ、ｄの端部同士を接合して形成される角部の外側には、接合を補強する保持手段が設けられていることを特徴とするポータブル多機能槽。
【請求項１０】
請求項７〜９のいずれか１項に記載のポータブル多機能槽において、前記長尺側壁部ａ、ｂ及び前記短尺側壁部ｃ、ｄのいずれか１の下部には排水用の補助液路が設けられ、該補助液路には排出口が設けられていることを特徴とするポータブル多機能槽。
【発明の詳細な説明】
【技術分野】
【０００１】
本発明は、折り畳んでロール巻きでき、使用時に保形用外枠等の付属部材が不要なポータブル多機能槽に関する。
【背景技術】
【０００２】
従来、病院における患者や要介護者の入浴に用いる浴槽として、特許文献１には、底部材が合成樹脂シートと合成樹脂シートに挟持される硬質板等から構成され、側壁部材が合成樹脂シートと合成樹脂シートに挟持されるべニア板等の芯材から構成される組立式浴槽が、特許文献２には、防水シート内に心材を入れて折り畳み式にし、組立時は四隅を三角形に整形してマジックテープ（登録商標）にて固定する簡易浴槽がそれぞれ記載されている。
【先行技術文献】
【特許文献】
【０００３】
【特許文献１】実公昭６３−１１９５０号公報
【特許文献２】特開２００３−９３４６９号公報
【発明の概要】
【発明が解決しようとする課題】
【０００４】
しかしながら、特許文献１に記載された組立式浴槽では、使用時に箱形に組み立てる作業と、組み立てた箱形を更に連結具と開き止めベルトを用いて固定する作業が必要となり、特許文献２に記載された簡易浴槽においても、箱形に組み立てる作業と、箱形の四隅をマジックテープ（登録商標）で固定し更にパイプと連結して一体化する作業が必要であり、入浴を開始するまでに時間を要するという問題があると共に、患者や要介護者の周りで組み立て及び固定等の作業が行われるため、患者や要介護者に対しては肉体的及び精神的な負担をかけるという問題が生じる。
また、特許文献１に記載された組立式浴槽では硬質板や芯材を合成樹脂シートで挟持しているため、特許文献２に記載された簡易浴槽では心材を防水シートに入れているため、折り畳んだ際の大きさに制約が生じると共に重量も重くなるため、搬送や保管に支障が生じ易いという問題がある。
【０００５】
本発明はかかる事情に鑑みてなされたもので、組み立て、固定（一体化）等の付帯作業負担が軽減され、搬送及び保管が容易となるポータブル多機能槽を提供することを目的とする。
【課題を解決するための手段】
【０００６】
前記目的に沿う第１の発明に係るポータブル多機能槽は、防水性の底部と、該底部の周囲に配置された防水性の側壁部とを有するシート材で構成されたポータブル多機能槽であって、
前記シート材はゴム及び可撓性を有する合成樹脂のいずれか一方又は双方からなり、
前記側壁部は、複数の分割された分割側壁部を有し、隣り合う前記分割側壁部は防水状態で接合され、かつ前記分割側壁部は筒状となって、内部に支持部材が取り外し可能に挿入されて、前記支持部材を前記分割側壁部から取り外した状態で、折り畳み又はロール巻き可能となっている。
【０００７】
前記目的に沿う第２の発明に係るポータブル多機能槽は、防水性の長方形底部と、該長方形底部の長辺及び短辺にそれぞれ連接して設けられた防水性の長尺側壁部ａ、ｂ及び防水性の短尺側壁部ｃ、ｄとを有するシート材で構成されたポータブル多機能槽であって、
前記シート材はゴム及び可撓性を有する合成樹脂のいずれか一方又は双方からなり、
前記長尺側壁部ａ、ｂはそれぞれ長手方向の片側又は両側に開口して長尺側支持部材の挿入が可能な長尺側収納部を備え、
前記短尺側壁部ｃ、ｄはそれぞれ長手方向の片側又は両側に開口して短尺側支持部材の挿入が可能な短尺側収納部を備え、
前記長尺側壁部ａ、ｂと前記短尺側壁部ｃ、ｄの隣り合う端部同士は接合されて、上部開放の四角筒状体となって、しかも、前記長尺側収納部から前記長尺側支持部材を、前記短尺側収納部から前記短尺側支持部材をそれぞれ外した状態で折り畳み又はロール巻き可能となっている。
【発明の効果】
【０００８】
第１の発明に係るポータブル多機能槽においては、底部と、底部の周囲に配置され、複数の分割された分割側壁部からなる側壁部とを有するシート材は、隣り合う分割側壁部が防水状態で接合されて筒状となって、底部で下部が封じられた上部開放の槽を形成しているので、シート材を広げるだけで槽として使用できる状態にすることができ、使用に伴う付帯作業負担を大幅に軽減することが可能になる。
【０００９】
また、隣り合う分割側壁部が防水状態で接合されて筒状となっているため、分割側壁部の内部にそれぞれ支持部材を挿入して分割側壁部の剛性を向上させることにより隣り合う分割側壁部が互いに支え合うことができ、上部開放の槽としての形状を容易に維持することが可能になる。
更に、シート材は、支持部材を分割側壁部から取り外した状態では折り畳み又はロール巻き可能となるので、シート材の搬送及び保管が容易となる。
【００１０】
第２の発明に係るポータブル多機能槽においては、長方形底部と、長方形底部の長辺及び短辺にそれぞれ連接して設けられた長尺側壁部ａ、ｂ及び短尺側壁部ｃ、ｄとを有するシート材は、長尺側壁部ａ、ｂと短尺側壁部ｃ、ｄの隣り合う端部同士が接合されて、長方形底部で下部が封じられた上部開放の四角槽を形成しているので、シート材を広げるだけで槽として使用できる状態にすることができ、使用に伴う付帯作業負担を大幅に軽減することが可能になる。
【００１１】
また、長尺側壁部ａ、ｂと短尺側壁部ｃ、ｄの隣り合う端部同士が接合されているため、長尺側壁部ａ、ｂの長尺側収納部に長尺側支持部材を、短尺側壁部ｃ、ｄの短尺側収納部に短尺側支持部材をそれぞれ挿入して長尺側壁部ａ、ｂと短尺側壁部ｃ、ｄの剛性を向上させると、隣り合う長尺側壁部ａ、ｂと短尺側壁部ｃ、ｄが互いに支え合うことになって、上部開放の四角槽としての形状を容易に維持することが可能になる。
更に、シート材は、長尺側収納部から長尺側支持部材を、短尺側収納部から短尺側支持部材をそれぞれ外した状態で折り畳み又はロール巻きできるので、シート材の搬送及び保管が容易となる。
【図面の簡単な説明】
【００１２】
【図１】本発明の第１の実施の形態に係るポータブル多機能槽の一部広げた状態のシート材、長尺側支持部材、及び短尺側支持部材の説明図である。
【図２】（Ａ）は長尺側壁部の断面図、（Ｂ）は短尺側壁部の断面図である。
【図３】シート材上に要介護者を仰臥させた状態を示す説明図である。
【図４】（Ａ）、（Ｂ），（Ｃ）はシート材を上部開放の四角槽に変化させる過程を示す説明図である。
【図５】（Ａ）、（Ｂ），（Ｃ）は同ポータブル多機能槽の使用方法を示す説明図である。
【図６】（Ａ）、（Ｂ），（Ｃ）は同ポータブル多機能槽の使用方法を示す説明図である。
【図７】（Ａ）、（Ｂ），（Ｃ）は同ポータブル多機能槽の使用方法を示す説明図である。
【図８】（Ａ）、（Ｂ），（Ｃ）は同ポータブル多機能槽の使用方法を示す説明図である。
【図９】本発明の第２の実施の形態に係るポータブル多機能槽のシート材を広げて支持部材を挿入している状態の説明図である。
【図１０】同ポータブル多機能槽の分割側壁部の断面図である。
【発明を実施するための形態】
【００１３】
続いて、添付した図面を参照しつつ、本発明を具体化した実施の形態につき説明し、本発明の理解に供する。
図１に示すように、本発明の第1の実施の形態に係るポータブル多機能槽１０は、防水性の長方形底部１１（多角形の底部の一例）と、長方形底部１１の周囲に配置された、即ち、長方形底部１１の長辺及び短辺にそれぞれ連接して設けられた防水性の分割側壁部の一例である長尺側壁部１２（ａ）、１３（ｂ）、及び防水性の分割側壁部の一例である短尺側壁部１４（ｃ）、１５（ｄ）とを有するシート材１６で構成されている。ここで、シート材１６（長方形底部１１、長尺側壁部１２、１３、及び短尺側壁部１４、１５）は、いずれも独立気泡を多数有するクロロプレンゴム（ゴムの一例）から形成されている。
なお、符号Ｐは長尺側壁部１２を長方形底部１１に重なるように折り畳んだ際に生じる折り目、符号Ｑは長尺側壁部１３を長方形底部１１に重なるように折り畳んだ際に生じる折り目、符号Ｒは短尺側壁部１４を長方形底部１１に重なるように折り畳んだ際に生じる折り目、符号Ｓは短尺側壁部１５を長方形底部１１に重なるように折り畳んだ際に生じる折り目である。
【００１４】
また、長尺側壁部１２は長手方向の両側に開口して長尺側支持部材１７の挿入が可能な長尺側収納部１８を備え、長尺側壁部１３は長手方向の両側に開口して長尺側支持部材１９の挿入が可能な長尺側収納部２０を備えている。
一方、短尺側壁部１４は長手方向の両側に開口して短尺側支持部材２１の挿入が可能な短尺側収納部２２を備え、短尺側壁部１５は長手方向の両側に開口して短尺側支持部材２３の挿入が可能な短尺側収納部２４を備えている。
なお、長尺側支持部材１７、１９、短尺側支持部材２１、２３には、例えば、耐水性合成樹脂を用いて成形された段ボールプラスチックを使用することができる。
【００１５】
そして、長尺側壁部１２と短尺側壁部１４の隣り合う端部同士、長尺側壁部１２と短尺側壁部１５の隣り合う端部同士、長尺側壁部１３と短尺側壁部１４の隣り合う端部同士、及び長尺側壁部１３と短尺側壁部１５の隣り合う端部同士は、接着剤を介して防水状態で接合されている。このため、シート材１６を広げると、長方形底部１１により下部が封じられた上部開放の四角槽（角筒状体の一例）が形成される。以下、詳細に説明する。
【００１６】
長方形底部１１は、例えば、厚さが５〜１０ｍｍのクロロプレンゴムを用いて形成されている。ここで、長方形底部１１の長辺長さは、例えば、１４００〜２０００ｍｍ、短辺長さは６００〜１０００ｍｍである。
【００１７】
図２（Ａ）に示すように、長尺側壁部１２（長尺側壁部１３も同様）は、例えば、厚さが５〜１０ｍｍのクロロプレンゴムからなる内層部２５と、内層部２５の表面を覆う厚さが０．５〜５ｍｍの布からなる外層部２６を有する２層構造となって、内層部２５と外層部２６の長手方向に沿った両端部同士が接着剤で接着され更に糸２６ａにより縫製されることにより接合されて一体化している。これにより、長尺側収納部１８、２０は内層部２５と外層部２６の間に形成される。ここで、長尺側壁部１２、１３の内層部２５の長辺寸法は長方形底部１１の長辺長さに等しく、短辺寸法は、例えば、３００〜５００ｍｍである。
【００１８】
更に、図１に示すように、長尺側支持部材１７は分割支持部材３２、３３から、長尺側支持部材１９は分割支持部材３２ａ、３３ａからそれぞれ構成する。これにより、長尺側支持部材１７、１９の挿入、搬送、保管が容易になると共に、長尺側収納部１８、２０に分割支持部材３２、３３、３２ａ、３３ａを挿入する際に要求される作業スペースを短くすることができ、ポータブル多機能槽１０を設置する際の制約が少なくなる。
なお、長尺側支持部材１７、１９を分割せず一体として形成することもできる。
【００１９】
図２（Ｂ）に示すように、短尺側壁部１４（短尺側壁部１５も同様）は、例えば、厚さが５〜１０ｍｍのクロロプレンゴムからなる内層部３４と、内層部３４を覆う厚さが０．５〜５ｍｍの布からなる外層部３５を有する２層構造となって、内層部３４と外層部３５の長手方向に沿った両端部同士が例えば接着剤で接着され更に糸３５ａにより縫製されることにより接合されて一体化している。これにより、短尺側収納部２２、２４は内層部３４と外層部３５の間に形成される。
なお、短尺側壁部１４、１５の内層部３４の長辺寸法は長方形底部１１の短辺長さに等しく、短辺寸法は、例えば、３００〜５００ｍｍであって、長尺側壁部１２、１３の短辺寸法に等しい。
【００２０】
このような構成とすることにより、図３、図４（Ａ）に示すように、シート材１６を一部広げて（長尺側壁部１２、１３を長方形底部１１の両側に開いて）、中央部の長方形底部１１の上に、例えば、要介護者Ｃを仰臥させることができる。
そして、図４（Ｂ）に示すように、要介護者Ｃの上半身を支えながら短尺側壁部１４を長方形底部１１に対して立設された状態にした後、要介護者Ｃの上半身を長方形底部１１の上に戻して、短尺側壁部１４の短尺側収納部２２に開口部３６（又は開口部３７）から短尺側支持部材２１を挿入することができる。
また、短尺側壁部１４を長方形底部１１に対して立設された状態にすると、長尺側壁部１２、１３の短尺側壁部１４側の領域も長方形底部１１に対して立設された状態になる。このため、長尺側壁部１２の長尺側収納部１８に開口部２８から分割支持部材３２を、長尺側壁部１３の長尺側収納部２０に開口部３０から分割支持部材３２ａを挿入することができる。
【００２１】
図４（Ｃ）に示すように、要介護者Ｃの下半身を支えながら短尺側壁部１５を長方形底部１１に対して立設された状態にした後、要介護者Ｃの下半身を長方形底部１１の上に戻して、短尺側壁部１５の短尺側収納部２４に開口部３６ａ（又は開口部３７ａ）から短尺側支持部材２３を挿入することができる。また、短尺側壁部１５を長方形底部１１に対して立設された状態にすると、長尺側壁部１２、１３の短尺側壁部１５側の領域も長方形底部１１に対して立設された状態になる。このため、長尺側壁部１２の長尺側収納部１８に開口部２９から分割支持部材３３を、長尺側壁部１３の長尺側収納部２０に開口部３１から分割支持部材３３ａを挿入することができる。これにより、長方形底部１１を有する四角槽の中に、要介護者Ｃを収容することができる。
なお、長尺側収納部１８に長尺側支持部材１７（分割支持部材３２、３３）を、長尺側収納部２０に長尺側支持部材１９（分割支持部材３２ａ、３３ａ）を、短尺側収納部２２、２４に短尺側支持部材２１、２３をそれぞれ挿入する順番は、状況に応じて任意に決めることができる。
【００２２】
図１に示すように、長尺側壁部１２、１３と短尺側壁部１４、１５の隣り合う端部同士を接合して形成される角部の外側には、角部を部分的に覆うように帯状の面ファスナ３８（保持手段の一例）が複数並べて設けられている。ここで、面ファスナ３８は、例えば、長尺側壁部１２、１３の両端側に基部が取付けられ、面ファスナ３８の先側は、短尺側壁部１４、１５の両端側に取付けられた面ファスナ３８ａ（図６（Ａ）参照）に掛止される。これによって、隣り合う長尺側壁部１２、１３の外層部２６と短尺側壁部１４、１５の外層部３５の端部同士を連結することができ、角部の補強が可能になる。
なお、長尺側収納部１８に分割支持部材３２、３３（長尺側支持部材１７）を、長尺側収納部２０に分割支持部材３２ａ、３３ａ（長尺側支持部材１９）を、短尺側収納部２２に短尺側支持部材２１を、及び短尺側収納部２４に短尺側支持部材２３を挿入する際又は取り出す際は、面ファスナ３８は取り外す。
【００２３】
図１に示すように、長尺側壁部１３の下部、例えば、長方形底部１１と長尺側壁部１３の連接部における短尺側壁部１５寄りの場所には、シート材１６を広げて形成される四角槽の内側と連通する排水用の補助液路３９の基側が取付けられている。また、補助液路３９の先側には開閉可能な排出口４０が形成されている。
なお、補助液路を取付ける場所が、長尺側壁部１２、１３及び短尺側壁部１４、１５のいずれか１の下部（長方形底部１１と長尺側壁部１２、１３との連接部、又は長方形底部１１と短尺側壁部１４、１５との連接部）であれば、取付け場所は任意に設定できる。また、補助液路は、連接部に沿って複数取付けてもよい。補助液路を連接部に沿って複数取付けることにより、状況に応じて最適な補助液路から排水を行うことができる。
【００２４】
図１に示すように、長方形底部１１の外側面の長手方向の一方側には、長尺側収納部１８、２０から長尺側支持部材１７、１９（分割支持部材３２、３３、３２ａ、３３ａ）を、短尺側収納部２２、２４から短尺側支持部材２１、２３をそれぞれ外した状態でロール巻きしたシート材１６の巻き戻しを防止するロール巻き固定用テープ４１，４２のそれぞれの基部４３、４４が、ロール巻き固定用テープ４１，４２の軸心方向が長方形底部１１の長手方向と平行になるように取付けられている。
なお、ロール巻き固定用テープ４１，４２には、例えば、帯状で、表側と裏側で互いに接合可能な帯状の面ファスナを使用することができる。
【００２５】
続いて、本発明の第1の実施の形態に係るポータブル多機能槽１０を、要介護者Ｃ用の簡易浴槽として用いる場合の方法について説明する。
図１、図５（Ａ）に示すように、ロール巻き固定用テープ４１，４２を解いてロール巻き状態のシート材１６を巻き解き、長方形底部１１の上に折り畳まれた長尺側壁部１２、１３を長方形底部１１を中央にして両側に開く。
次いで、図５（Ｂ）に示すように、要介護者Ｃを、例えば、頭部を短尺側壁部１４に向けて長方形底部１１の中央部に仰臥する。
続いて、図１、図５（Ｃ）示すように、例えば、長尺側壁部１２と短尺側壁部１５の隣り合う端部同士を接合して形成された角部に取付けた面ファスナ３８を全て取り外し、要介護者Ｃの下半身を支えながら短尺側壁部１５を長方形底部１１に対して立設された状態にして、要介護者Ｃの下半身を長方形底部１１の上に戻す。そして、長尺側収納部１８に開口部２９から分割支持部材３３を、短尺側収納部２４に開口部３６ａから短尺側支持部材２３をそれぞれ挿入し、長尺側壁部１２と短尺側壁部１５の角部の外側に面ファスナ３８を取付ける。
【００２６】
図１、図６（Ａ）に示すように、長尺側壁部１２と短尺側壁部１４の隣り合う端部同士を接合して形成された角部の外側に取付けた面ファスナ３８を全て取り外し、要介護者Ｃの上半身を支えながら短尺側壁部１４を長方形底部１１に対して立設された状態にして、要介護者Ｃの上半身を長方形底部１１の上に戻す。そして、長尺側収納部１８に開口部２８から分割支持部材３２を挿入する。
次いで、図１、図６（Ｂ）に示すように、短尺側壁部１４の短尺側収納部２２に、例えば、開口部３６から短尺側支持部材２１を、長尺側収納部２０に開口部３０から分割支持部材３２ａをそれぞれ挿入し、長尺側壁部１２と短尺側壁部１４の角部の外側、長尺側壁部１３と短尺側壁部１４の角部の外側にそれぞれ面ファスナ３８を取付ける。
続いて、図１、図６（Ｃ）に示すように、長尺側収納部２０のに開口部３１から分割支持部材３３ａを挿入し、長尺側壁部１３と短尺側壁部１５の角部の外側に面ファスナ３８を取付ける。その結果、長方形底部１１を有する四角槽の中に、要介護者Ｃが収容される。
【００２７】
図１、図７（Ａ）に示すように、長方形底部１１を有し、長尺側壁部１２、１３及び短尺側壁部１４、１５から形成された四角槽の中に湯を注入することにより、要介護者Ｃの入浴を行う。
【００２８】
そして、補助液路３９の排出口４０を開放して湯を排出させた後、図１、図７（Ｂ）に示すように、長尺側壁部１２と短尺側壁部１５の角部の面ファスナ３８を取り外し、長尺側収納部１８に挿入している分割支持部材３３と、短尺側壁部１５の短尺側収納部２４に挿入している短尺側支持部材２３をそれぞれ引き抜く。これにより、長尺側壁部１２の短尺側壁部１５側の領域と短尺側壁部１５の長尺側壁部１２側の領域を折り畳むことにより、四角槽に外部と連通する開口部４５を形成することができ、要介護者Ｃを外部に移動させることができる。
【００２９】
続いて、図１、図７（Ｃ）に示すように、長尺側壁部１２と短尺側壁部１４の角部、長尺側壁部１３と短尺側壁部１４の角部、及び長尺側壁部１３と短尺側壁部１５の角部の面ファスナ３８を全て取り外して分割支持部材３２、３２ａ、３３ａ、及び短尺側支持部材２１を引き抜く。そして、シート材１６の内面側を洗浄した後に乾燥させ、長尺側壁部１２、１３と短尺側壁部１４、１５の角部に面ファスナ３８を取付ける。
【００３０】
図１、図８（Ａ）に示すように、シート材１６を（長尺側壁部１２、１３と短尺側壁部１４、１５が長方形底部１１の上に重なるように）折り畳む。次いで、図１、図８（Ｂ）に示すように、長方形底部１１の外側面が外周面側になるように、シート材１６を短尺側壁部１４側からロール巻きする。そして、図８（Ｃ）に示すように、ロール巻き固定用テープ４１，４２をロール巻きした外周面に巻いて固定し、シート材１６の巻き戻しを防止する。
【００３１】
図９に示すように、本発明の第２の実施の形態に係るポータブル多機能槽４６は、防水性の円形底部４７と、円形底部４７の周囲に配置された防水性の側壁部４８とを有するシート材４９で構成されている。ここで、側壁部４８は、平面視して、複数（図９では、円形底部４７の周囲に沿って４個）の円弧状の分割された分割側壁部５０、５０ａ、５０ｂ、５０ｃを有し、隣り合う分割側壁部５０、５０ａ、５０ｂ、５０ｃは接着剤を用いて防水状態で接合されて円筒状となっている。このため、シート材４９を広げると、円形底部４７により下部が封じられた上部開放の円筒槽が形成される。そして、シート材４９を広げた状態の側壁部４８（分割側壁部５０、５０ａ、５０ｂ、５０ｃ）の内部には支持部材５１が取り外し可能に挿入されている。以下、詳細に説明する。
【００３２】
円形底部４７の直径Ｄは、例えば、１４００〜２０００ｍｍ、側壁部４８の高さは、例えば、３００〜５００ｍｍである。ここで、シート材４９（円形底部４７及び側壁部４８）は、いずれも独立気泡を多数有するクロロプレンゴム（ゴムの一例）から形成されている。また、支持部材５１には、例えば、耐水性合成樹脂を用いて成形された段ボールプラスチックを使用することができる。
【００３３】
図９、図１０に示すように、分割側壁部５０、５０ａ、５０ｂ、５０ｃは、例えば、厚さが５〜１０ｍｍのクロロプレンゴムからなる内層部５２と、内層部５２を覆う厚さが０．５〜５ｍｍの布からなる外層部５３を有する２層構造となって、内層部５２と外層部５３の周方向に沿った両端部同士が接着剤で接着され更に糸５４により縫製されることにより接合されて一体化している。これにより、支持部材５１が挿入される収納部５５は、分割側壁部５０、５０ａ、５０ｂ、５０ｃ（内層部５２、外層部５３）の周方向の両側に開口する状態で内層部５２と外層部５３の間に形成される。
なお、図９に示すように、支持部材５１は分割側壁部５０、５０ａ、５０ｂ、５０ｃの各収納部５５に一体として収納される長さに形成しても、長さを分割して形成してもよい、
【００３４】
また、図９に示すように、隣り合う分割側壁部５０、５０ａ、５０ｂ、５０ｃの端部同士を接合して形成される接合部の外側には、接合部の長さ方向（上下方向）に沿って、接合部を部分的に覆うように隣り合う分割側壁部５０、５０ａ、５０ｂ、５０ｃ（隣り合う外層部５３）同士を連結する帯状の保持手段５６が複数並べて設けられている。ここで、保持手段５６は、隣り合う外層部５３の一方に基部が取付けられた連結用面ファスナ５７と、隣り合う外層部５３の他方に取り付けられ、連結用面ファスナ５７の先側を掛止する掛止用面ファスナ５８とを有している。
これによって、分割側壁部５０、５０ａ、５０ｂ、５０ｃ（隣り合う外層部５３）の端部同士を連結することができ、接合部の補強が可能になる。
なお、支持部材５１を、分割側壁部５０、５０ａ、５０ｂ、５０ｃの収納部５５に挿入する際又は取り出す際は、連結用面ファスナ５７の先側を掛止用面ファスナ５８から取り外す。
【００３５】
図９に示すように、側壁部４８（任意の分割側壁部５０、５０ａ、５０ｂ、５０ｃ）の下部の任意の場所には、シート材４９を広げて形成される円筒槽の内側と連通する排水用の補助液路５９の基側が取付けられている。また、補助液路５９の先側には開閉可能な排出口６０が形成されている。
なお、補助液路は、側壁部４８の下部に周方向に沿って複数取付けてもよい。補助液路を連接部に沿って複数取付けることにより、状況に応じて最適な補助液路から排水を行うことができる。
【００３６】
続いて、本発明の第２の実施の形態に係るポータブル多機能槽４６の使用方法について説明する。
図９に示すように、折り畳まれた又はロール巻きされたシート材４９を開き、支持部材５１を挿入する収納部５５が設けられた分割側壁部５０（外層部５３）の周方向の一方側に配置されている保持手段５６の掛止状態を解除する。次いで、支持部材５１の先側を、分割側壁部５０の収納部５５の一方の開口部から挿入する。続いて、支持部材５１の先側が収納部５５の他方の開口部に近づくと、分割側壁部５０の他方側と分割側壁部５０ａの一方側との間に配置されている保持手段５６の掛止状態を解除し、支持部材５１の先側を分割側壁部５０ａの収納部５５の一方の開口部から挿入する。なお、支持部材５１の先側が通過すると、分割側壁部５０の他方側と分割側壁部５０ａの一方側との間に配置されている保持手段５６を掛止状態に復帰する。
【００３７】
そして、支持部材５１の先側が分割側壁部５０ｂの収納部５５を通過し、分割側壁部５０ｃの収納部５５の他方側の開口部に達すると、分割側壁部５０ｃの他方側と分割側壁部５０の一方側との間に配置されている保持手段５６を掛止状態に復帰する。これにより、円形底部４７により下部が封じられた上部開放の円筒槽が形成される。
なお、円筒槽に予め人又は物を入れておく必要がある場合は、折り畳まれた又はロール巻きされたシート材４９を一部開いて、円形底部４７の上に人又は物を配置し、それからシート材４９を完全に開いて、支持部材５１の挿入を開始する。
【００３８】
ポータブル多機能槽４６の使用を終える場合は、先ず、補助液路５９の排出口６０から円筒槽内の液体を排出させる。次いで、隣り合う分割側壁部５０、５０ａ、５０ｂ、５０ｃ間に配置されている保持手段５６の掛止状態を解除し、支持部材５１を分割側壁部５０、５０ａ、５０ｂ、５０ｃの各収納部５５から取り出す。そして、分割側壁部５０、５０ａ、５０ｂ、５０ｃの任意の部位を折り畳んで取り出し部を形成して円形底部４７の上に位置する人又は物を外部移動させる。
次いで、シート材４９の内面側を洗浄した後に乾燥させ、隣り合う分割側壁部５０、５０ａ、５０ｂ、５０ｃの間に配置されている保持手段５６を掛止状態に復帰する。そして、シート材４９を折り畳み又はロール巻きする。
【００３９】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
例えば、第1の実施の形態では長方形底部、長尺側壁部、及び短尺側壁部を、第２の実施の形態では円形底部及び分割側壁部をいずれもクロロプレンゴムを用いて形成したが、防水性を備えた材質であれば、他の種類のゴム又は可撓性を有する合成樹脂を用いて形成しても、ゴム及び可撓性を有する合成樹脂を組合せて形成してもよい。
また、第1の実施の形態では、シート材の隣り合う長尺側壁部と短尺側壁部の隣り合う端部同士を接着剤を介して接合して一体化し、第２の実施の形態では円形底部の周囲に分割側壁部を接着剤を介して接合することにより配置したが、長尺側壁部と短尺側壁部の隣り合う端部同士を、接着剤で接着し更に縫製することにより接合、又は熱融着によって接合して一体化してもよく、長尺側壁部と短尺側壁部の隣り合う端部同士を防水ファスナを介して接合することにより一体化してもよい。
更に、第1の実施の形態では、多角形の底部の一例として、四角形の底部である長方形底部の場合について説明したが、底部の形状を三角形又は五角形以上とすることもできる。
【符号の説明】
【００４０】
１０：ポータブル多機能槽、１１：長方形底部、１２、１３：長尺側壁部、１４、１５：短尺側壁部、１６：シート材、１７：長尺側支持部材、１８：長尺側収納部、１９：長尺側支持部材、２０：長尺側収納部、２１：短尺側支持部材、２２：短尺側収納部、２３：短尺側支持部材、２４：短尺側収納部、２５：内層部、２６：外層部、２６ａ：糸、２８、２９：開口部、、３０、３１：開口部、３２、３２ａ、３３、３３ａ：分割支持部材、３４：内層部、３５：外層部、３５ａ：糸、３６、３６ａ、３７、３７ａ：開口部、３８、３８ａ：面ファスナ、３９：補助液路、４０：排出口、４１、４２：ロール巻き固定用テープ、４３、４４：基部、４５：開口部、４６：ポータブル多機能槽、４７：円形底部、４８：側壁部、４９：シート材、５０、５０ａ、５０ｂ、５０ｃ：分割側壁部、５１：支持部材、５２：内層部、５３：外層部、５４：糸、５５：収納部、５６：保持手段、５７：連結用面ファスナ、５８：掛止用面ファスナ、５９：補助液路、６０：排出口
【図１】
2018033589.tif 000003
【図２】
2018033589.tif 000004
【図３】
2018033589.tif 000005
【図４】
2018033589.tif 000006
【図５】
2018033589.tif 000007
【図６】
2018033589.tif 000008
【図７】
2018033589.tif 000009
【図８】
2018033589.tif 000010
【図９】
2018033589.tif 000011
【図１０】
2018033589.tif 000012
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
防水性の底部と、該底部の周囲に配置された防水性の側壁部とを有するシート材で構成されたポータブル多機能槽であって、
前記シート材はゴム及び可撓性を有する合成樹脂のいずれか一方又は双方からなり、
前記側壁部は、複数の分割された分割側壁部を有し、隣り合う前記分割側壁部は防水状態で接合され、かつ前記分割側壁部は筒状となって長手方向に開口し、内部に耐水性合成樹脂を用いて成形された段ボールプラスチックからなる支持部材が取り外し可能に挿入されて、前記支持部材を前記分割側壁部から取り外した状態で、折り畳み又はロール巻き可能となっていることを特徴とするポータブル多機能槽。
【請求項２】
請求項１記載のポータブル多機能槽において、前記側壁部の下部には排水用の補助液路が設けられ、該補助液路には排出口が設けられていることを特徴とするポータブル多機能槽。
【手続補正２】
【補正対象書類名】明細書
【補正対象項目名】全文
【補正方法】変更
【補正の内容】
【発明の詳細な説明】
【技術分野】
【０００１】
本発明は、折り畳んでロール巻きでき、使用時に保形用外枠等の付属部材が不要なポータブル多機能槽に関する。
【背景技術】
【０００２】
従来、病院における患者や要介護者の入浴に用いる浴槽として、特許文献１には、底部材が合成樹脂シートと合成樹脂シートに挟持される硬質板等から構成され、側壁部材が合成樹脂シートと合成樹脂シートに挟持されるべニア板等の芯材から構成される組立式浴槽が、特許文献２には、防水シート内に心材を入れて折り畳み式にし、組立時は四隅を三角形に整形してマジックテープ（登録商標）にて固定する簡易浴槽がそれぞれ記載されている。
【先行技術文献】
【特許文献】
【０００３】
【特許文献１】実公昭６３−１１９５０号公報
【特許文献２】特開２００３−９３４６９号公報
【発明の概要】
【発明が解決しようとする課題】
【０００４】
しかしながら、特許文献１に記載された組立式浴槽では、使用時に箱形に組み立てる作業と、組み立てた箱形を更に連結具と開き止めベルトを用いて固定する作業が必要となり、特許文献２に記載された簡易浴槽においても、箱形に組み立てる作業と、箱形の四隅をマジックテープ（登録商標）で固定し更にパイプと連結して一体化する作業が必要であり、入浴を開始するまでに時間を要するという問題があると共に、患者や要介護者の周りで組み立て及び固定等の作業が行われるため、患者や要介護者に対しては肉体的及び精神的な負担をかけるという問題が生じる。
また、特許文献１に記載された組立式浴槽では硬質板や芯材を合成樹脂シートで挟持しているため、特許文献２に記載された簡易浴槽では心材を防水シートに入れているため、折り畳んだ際の大きさに制約が生じると共に重量も重くなるため、搬送や保管に支障が生じ易いという問題がある。
【０００５】
本発明はかかる事情に鑑みてなされたもので、組み立て、固定（一体化）等の付帯作業負担が軽減され、搬送及び保管が容易となるポータブル多機能槽を提供することを目的とする。
【課題を解決するための手段】
【０００６】
前記目的に沿う本発明に係るポータブル多機能槽は、防水性の底部と、該底部の周囲に配置された防水性の側壁部とを有するシート材で構成されたポータブル多機能槽であって、
前記シート材はゴム及び可撓性を有する合成樹脂のいずれか一方又は双方からなり、
前記側壁部は、複数の分割された分割側壁部を有し、隣り合う前記分割側壁部は防水状態で接合され、かつ前記分割側壁部は筒状となって長手方向に開口し、内部に耐水性合成樹脂を用いて成形された段ボールプラスチックからなる支持部材が取り外し可能に挿入されて、前記支持部材を前記分割側壁部から取り外した状態で、折り畳み又はロール巻き可能となっている。
【０００７】
【発明の効果】
【０００８】
本発明に係るポータブル多機能槽においては、底部と、底部の周囲に配置され、複数の分割された分割側壁部からなる側壁部とを有するシート材は、隣り合う分割側壁部が防水状態で接合されて筒状となって、底部で下部が封じられた上部開放の槽を形成しているので、シート材を広げるだけで槽として使用できる状態にすることができ、使用に伴う付帯作業負担を大幅に軽減することが可能になる。
【０００９】
また、隣り合う分割側壁部が防水状態で接合されて筒状となっているため、分割側壁部の内部にそれぞれ支持部材を挿入して分割側壁部の剛性を向上させることにより隣り合う分割側壁部が互いに支え合うことができ、上部開放の槽としての形状を容易に維持することが可能になる。
更に、シート材は、支持部材を分割側壁部から取り外した状態では折り畳み又はロール巻き可能となるので、シート材の搬送及び保管が容易となる。
【００１０】
【００１１】
【図面の簡単な説明】
【００１２】
【図１】本発明の第１の実施の形態に係るポータブル多機能槽の一部広げた状態のシート材、長尺側支持部材、及び短尺側支持部材の説明図である。
【図２】（Ａ）は長尺側壁部の断面図、（Ｂ）は短尺側壁部の断面図である。
【図３】シート材上に要介護者を仰臥させた状態を示す説明図である。
【図４】（Ａ）、（Ｂ），（Ｃ）はシート材を上部開放の四角槽に変化させる過程を示す説明図である。
【図５】（Ａ）、（Ｂ），（Ｃ）は同ポータブル多機能槽の使用方法を示す説明図である。
【図６】（Ａ）、（Ｂ），（Ｃ）は同ポータブル多機能槽の使用方法を示す説明図である。
【図７】（Ａ）、（Ｂ），（Ｃ）は同ポータブル多機能槽の使用方法を示す説明図である。
【図８】（Ａ）、（Ｂ），（Ｃ）は同ポータブル多機能槽の使用方法を示す説明図である。
【図９】本発明の第２の実施の形態に係るポータブル多機能槽のシート材を広げて支持部材を挿入している状態の説明図である。
【図１０】同ポータブル多機能槽の分割側壁部の断面図である。
【発明を実施するための形態】
【００１３】
続いて、添付した図面を参照しつつ、本発明を具体化した実施の形態につき説明し、本発明の理解に供する。
図１に示すように、本発明の第1の実施の形態に係るポータブル多機能槽１０は、防水性の長方形底部１１（多角形の底部の一例）と、長方形底部１１の周囲に配置された、即ち、長方形底部１１の長辺及び短辺にそれぞれ連接して設けられた防水性の分割側壁部の一例である長尺側壁部１２（ａ）、１３（ｂ）、及び防水性の分割側壁部の一例である短尺側壁部１４（ｃ）、１５（ｄ）とを有するシート材１６で構成されている。ここで、シート材１６（長方形底部１１、長尺側壁部１２、１３、及び短尺側壁部１４、１５）は、いずれも独立気泡を多数有するクロロプレンゴム（ゴムの一例）から形成されている。
なお、符号Ｐは長尺側壁部１２を長方形底部１１に重なるように折り畳んだ際に生じる折り目、符号Ｑは長尺側壁部１３を長方形底部１１に重なるように折り畳んだ際に生じる折り目、符号Ｒは短尺側壁部１４を長方形底部１１に重なるように折り畳んだ際に生じる折り目、符号Ｓは短尺側壁部１５を長方形底部１１に重なるように折り畳んだ際に生じる折り目である。
【００１４】
また、長尺側壁部１２は長手方向の両側に開口して長尺側支持部材１７の挿入が可能な長尺側収納部１８を備え、長尺側壁部１３は長手方向の両側に開口して長尺側支持部材１９の挿入が可能な長尺側収納部２０を備えている。
一方、短尺側壁部１４は長手方向の両側に開口して短尺側支持部材２１の挿入が可能な短尺側収納部２２を備え、短尺側壁部１５は長手方向の両側に開口して短尺側支持部材２３の挿入が可能な短尺側収納部２４を備えている。
なお、長尺側支持部材１７、１９、短尺側支持部材２１、２３には、例えば、耐水性合成樹脂を用いて成形された段ボールプラスチックを使用することができる。
【００１５】
そして、長尺側壁部１２と短尺側壁部１４の隣り合う端部同士、長尺側壁部１２と短尺側壁部１５の隣り合う端部同士、長尺側壁部１３と短尺側壁部１４の隣り合う端部同士、及び長尺側壁部１３と短尺側壁部１５の隣り合う端部同士は、接着剤を介して防水状態で接合されている。このため、シート材１６を広げると、長方形底部１１により下部が封じられた上部開放の四角槽（角筒状体の一例）が形成される。以下、詳細に説明する。
【００１６】
長方形底部１１は、例えば、厚さが５〜１０ｍｍのクロロプレンゴムを用いて形成されている。ここで、長方形底部１１の長辺長さは、例えば、１４００〜２０００ｍｍ、短辺長さは６００〜１０００ｍｍである。
【００１７】
図２（Ａ）に示すように、長尺側壁部１２（長尺側壁部１３も同様）は、例えば、厚さが５〜１０ｍｍのクロロプレンゴムからなる内層部２５と、内層部２５の表面を覆う厚さが０．５〜５ｍｍの布からなる外層部２６を有する２層構造となって、内層部２５と外層部２６の長手方向に沿った両端部同士が接着剤で接着され更に糸２６ａにより縫製されることにより接合されて一体化している。これにより、長尺側収納部１８、２０は内層部２５と外層部２６の間に形成される。ここで、長尺側壁部１２、１３の内層部２５の長辺寸法は長方形底部１１の長辺長さに等しく、短辺寸法は、例えば、３００〜５００ｍｍである。
【００１８】
更に、図１に示すように、長尺側支持部材１７は分割支持部材３２、３３から、長尺側支持部材１９は分割支持部材３２ａ、３３ａからそれぞれ構成する。これにより、長尺側支持部材１７、１９の挿入、搬送、保管が容易になると共に、長尺側収納部１８、２０に分割支持部材３２、３３、３２ａ、３３ａを挿入する際に要求される作業スペースを短くすることができ、ポータブル多機能槽１０を設置する際の制約が少なくなる。
なお、長尺側支持部材１７、１９を分割せず一体として形成することもできる。
【００１９】
図２（Ｂ）に示すように、短尺側壁部１４（短尺側壁部１５も同様）は、例えば、厚さが５〜１０ｍｍのクロロプレンゴムからなる内層部３４と、内層部３４を覆う厚さが０．５〜５ｍｍの布からなる外層部３５を有する２層構造となって、内層部３４と外層部３５の長手方向に沿った両端部同士が例えば接着剤で接着され更に糸３５ａにより縫製されることにより接合されて一体化している。これにより、短尺側収納部２２、２４は内層部３４と外層部３５の間に形成される。
なお、短尺側壁部１４、１５の内層部３４の長辺寸法は長方形底部１１の短辺長さに等しく、短辺寸法は、例えば、３００〜５００ｍｍであって、長尺側壁部１２、１３の短辺寸法に等しい。
【００２０】
このような構成とすることにより、図３、図４（Ａ）に示すように、シート材１６を一部広げて（長尺側壁部１２、１３を長方形底部１１の両側に開いて）、中央部の長方形底部１１の上に、例えば、要介護者Ｃを仰臥させることができる。
そして、図４（Ｂ）に示すように、要介護者Ｃの上半身を支えながら短尺側壁部１４を長方形底部１１に対して立設された状態にした後、要介護者Ｃの上半身を長方形底部１１の上に戻して、短尺側壁部１４の短尺側収納部２２に開口部３６（又は開口部３７）から短尺側支持部材２１を挿入することができる。
また、短尺側壁部１４を長方形底部１１に対して立設された状態にすると、長尺側壁部１２、１３の短尺側壁部１４側の領域も長方形底部１１に対して立設された状態になる。このため、長尺側壁部１２の長尺側収納部１８に開口部２８から分割支持部材３２を、長尺側壁部１３の長尺側収納部２０に開口部３０から分割支持部材３２ａを挿入することができる。
【００２１】
図４（Ｃ）に示すように、要介護者Ｃの下半身を支えながら短尺側壁部１５を長方形底部１１に対して立設された状態にした後、要介護者Ｃの下半身を長方形底部１１の上に戻して、短尺側壁部１５の短尺側収納部２４に開口部３６ａ（又は開口部３７ａ）から短尺側支持部材２３を挿入することができる。また、短尺側壁部１５を長方形底部１１に対して立設された状態にすると、長尺側壁部１２、１３の短尺側壁部１５側の領域も長方形底部１１に対して立設された状態になる。このため、長尺側壁部１２の長尺側収納部１８に開口部２９から分割支持部材３３を、長尺側壁部１３の長尺側収納部２０に開口部３１から分割支持部材３３ａを挿入することができる。これにより、長方形底部１１を有する四角槽の中に、要介護者Ｃを収容することができる。
なお、長尺側収納部１８に長尺側支持部材１７（分割支持部材３２、３３）を、長尺側収納部２０に長尺側支持部材１９（分割支持部材３２ａ、３３ａ）を、短尺側収納部２２、２４に短尺側支持部材２１、２３をそれぞれ挿入する順番は、状況に応じて任意に決めることができる。
【００２２】
図１に示すように、長尺側壁部１２、１３と短尺側壁部１４、１５の隣り合う端部同士を接合して形成される角部の外側には、角部を部分的に覆うように帯状の面ファスナ３８（保持手段の一例）が複数並べて設けられている。ここで、面ファスナ３８は、例えば、長尺側壁部１２、１３の両端側に基部が取付けられ、面ファスナ３８の先側は、短尺側壁部１４、１５の両端側に取付けられた面ファスナ３８ａ（図６（Ａ）参照）に掛止される。これによって、隣り合う長尺側壁部１２、１３の外層部２６と短尺側壁部１４、１５の外層部３５の端部同士を連結することができ、角部の補強が可能になる。
なお、長尺側収納部１８に分割支持部材３２、３３（長尺側支持部材１７）を、長尺側収納部２０に分割支持部材３２ａ、３３ａ（長尺側支持部材１９）を、短尺側収納部２２に短尺側支持部材２１を、及び短尺側収納部２４に短尺側支持部材２３を挿入する際又は取り出す際は、面ファスナ３８は取り外す。
【００２３】
図１に示すように、長尺側壁部１３の下部、例えば、長方形底部１１と長尺側壁部１３の連接部における短尺側壁部１５寄りの場所には、シート材１６を広げて形成される四角槽の内側と連通する排水用の補助液路３９の基側が取付けられている。また、補助液路３９の先側には開閉可能な排出口４０が形成されている。
なお、補助液路を取付ける場所が、長尺側壁部１２、１３及び短尺側壁部１４、１５のいずれか１の下部（長方形底部１１と長尺側壁部１２、１３との連接部、又は長方形底部１１と短尺側壁部１４、１５との連接部）であれば、取付け場所は任意に設定できる。また、補助液路は、連接部に沿って複数取付けてもよい。補助液路を連接部に沿って複数取付けることにより、状況に応じて最適な補助液路から排水を行うことができる。
【００２４】
図１に示すように、長方形底部１１の外側面の長手方向の一方側には、長尺側収納部１８、２０から長尺側支持部材１７、１９（分割支持部材３２、３３、３２ａ、３３ａ）を、短尺側収納部２２、２４から短尺側支持部材２１、２３をそれぞれ外した状態でロール巻きしたシート材１６の巻き戻しを防止するロール巻き固定用テープ４１，４２のそれぞれの基部４３、４４が、ロール巻き固定用テープ４１，４２の軸心方向が長方形底部１１の長手方向と平行になるように取付けられている。
なお、ロール巻き固定用テープ４１，４２には、例えば、帯状で、表側と裏側で互いに接合可能な帯状の面ファスナを使用することができる。
【００２５】
続いて、本発明の第1の実施の形態に係るポータブル多機能槽１０を、要介護者Ｃ用の簡易浴槽として用いる場合の方法について説明する。
図１、図５（Ａ）に示すように、ロール巻き固定用テープ４１，４２を解いてロール巻き状態のシート材１６を巻き解き、長方形底部１１の上に折り畳まれた長尺側壁部１２、１３を長方形底部１１を中央にして両側に開く。
次いで、図５（Ｂ）に示すように、要介護者Ｃを、例えば、頭部を短尺側壁部１４に向けて長方形底部１１の中央部に仰臥する。
続いて、図１、図５（Ｃ）示すように、例えば、長尺側壁部１２と短尺側壁部１５の隣り合う端部同士を接合して形成された角部に取付けた面ファスナ３８を全て取り外し、要介護者Ｃの下半身を支えながら短尺側壁部１５を長方形底部１１に対して立設された状態にして、要介護者Ｃの下半身を長方形底部１１の上に戻す。そして、長尺側収納部１８に開口部２９から分割支持部材３３を、短尺側収納部２４に開口部３６ａから短尺側支持部材２３をそれぞれ挿入し、長尺側壁部１２と短尺側壁部１５の角部の外側に面ファスナ３８を取付ける。
【００２６】
図１、図６（Ａ）に示すように、長尺側壁部１２と短尺側壁部１４の隣り合う端部同士を接合して形成された角部の外側に取付けた面ファスナ３８を全て取り外し、要介護者Ｃの上半身を支えながら短尺側壁部１４を長方形底部１１に対して立設された状態にして、要介護者Ｃの上半身を長方形底部１１の上に戻す。そして、長尺側収納部１８に開口部２８から分割支持部材３２を挿入する。
次いで、図１、図６（Ｂ）に示すように、短尺側壁部１４の短尺側収納部２２に、例えば、開口部３６から短尺側支持部材２１を、長尺側収納部２０に開口部３０から分割支持部材３２ａをそれぞれ挿入し、長尺側壁部１２と短尺側壁部１４の角部の外側、長尺側壁部１３と短尺側壁部１４の角部の外側にそれぞれ面ファスナ３８を取付ける。
続いて、図１、図６（Ｃ）に示すように、長尺側収納部２０のに開口部３１から分割支持部材３３ａを挿入し、長尺側壁部１３と短尺側壁部１５の角部の外側に面ファスナ３８を取付ける。その結果、長方形底部１１を有する四角槽の中に、要介護者Ｃが収容される。
【００２７】
図１、図７（Ａ）に示すように、長方形底部１１を有し、長尺側壁部１２、１３及び短尺側壁部１４、１５から形成された四角槽の中に湯を注入することにより、要介護者Ｃの入浴を行う。
【００２８】
そして、補助液路３９の排出口４０を開放して湯を排出させた後、図１、図７（Ｂ）に示すように、長尺側壁部１２と短尺側壁部１５の角部の面ファスナ３８を取り外し、長尺側収納部１８に挿入している分割支持部材３３と、短尺側壁部１５の短尺側収納部２４に挿入している短尺側支持部材２３をそれぞれ引き抜く。これにより、長尺側壁部１２の短尺側壁部１５側の領域と短尺側壁部１５の長尺側壁部１２側の領域を折り畳むことにより、四角槽に外部と連通する開口部４５を形成することができ、要介護者Ｃを外部に移動させることができる。
【００２９】
続いて、図１、図７（Ｃ）に示すように、長尺側壁部１２と短尺側壁部１４の角部、長尺側壁部１３と短尺側壁部１４の角部、及び長尺側壁部１３と短尺側壁部１５の角部の面ファスナ３８を全て取り外して分割支持部材３２、３２ａ、３３ａ、及び短尺側支持部材２１を引き抜く。そして、シート材１６の内面側を洗浄した後に乾燥させ、長尺側壁部１２、１３と短尺側壁部１４、１５の角部に面ファスナ３８を取付ける。
【００３０】
図１、図８（Ａ）に示すように、シート材１６を（長尺側壁部１２、１３と短尺側壁部１４、１５が長方形底部１１の上に重なるように）折り畳む。次いで、図１、図８（Ｂ）に示すように、長方形底部１１の外側面が外周面側になるように、シート材１６を短尺側壁部１４側からロール巻きする。そして、図８（Ｃ）に示すように、ロール巻き固定用テープ４１，４２をロール巻きした外周面に巻いて固定し、シート材１６の巻き戻しを防止する。
【００３１】
図９に示すように、本発明の第２の実施の形態に係るポータブル多機能槽４６は、防水性の円形底部４７と、円形底部４７の周囲に配置された防水性の側壁部４８とを有するシート材４９で構成されている。ここで、側壁部４８は、平面視して、複数（図９では、円形底部４７の周囲に沿って４個）の円弧状の分割された分割側壁部５０、５０ａ、５０ｂ、５０ｃを有し、隣り合う分割側壁部５０、５０ａ、５０ｂ、５０ｃは接着剤を用いて防水状態で接合されて円筒状となっている。このため、シート材４９を広げると、円形底部４７により下部が封じられた上部開放の円筒槽が形成される。そして、シート材４９を広げた状態の側壁部４８（分割側壁部５０、５０ａ、５０ｂ、５０ｃ）の内部には支持部材５１が取り外し可能に挿入されている。以下、詳細に説明する。
【００３２】
円形底部４７の直径Ｄは、例えば、１４００〜２０００ｍｍ、側壁部４８の高さは、例えば、３００〜５００ｍｍである。ここで、シート材４９（円形底部４７及び側壁部４８）は、いずれも独立気泡を多数有するクロロプレンゴム（ゴムの一例）から形成されている。また、支持部材５１には、例えば、耐水性合成樹脂を用いて成形された段ボールプラスチックを使用することができる。
【００３３】
図９、図１０に示すように、分割側壁部５０、５０ａ、５０ｂ、５０ｃは、例えば、厚さが５〜１０ｍｍのクロロプレンゴムからなる内層部５２と、内層部５２を覆う厚さが０．５〜５ｍｍの布からなる外層部５３を有する２層構造となって、内層部５２と外層部５３の周方向に沿った両端部同士が接着剤で接着され更に糸５４により縫製されることにより接合されて一体化している。これにより、支持部材５１が挿入される収納部５５は、分割側壁部５０、５０ａ、５０ｂ、５０ｃ（内層部５２、外層部５３）の周方向の両側に開口する状態で内層部５２と外層部５３の間に形成される。
なお、図９に示すように、支持部材５１は分割側壁部５０、５０ａ、５０ｂ、５０ｃの各収納部５５に一体として収納される長さに形成しても、長さを分割して形成してもよい、
【００３４】
また、図９に示すように、隣り合う分割側壁部５０、５０ａ、５０ｂ、５０ｃの端部同士を接合して形成される接合部の外側には、接合部の長さ方向（上下方向）に沿って、接合部を部分的に覆うように隣り合う分割側壁部５０、５０ａ、５０ｂ、５０ｃ（隣り合う外層部５３）同士を連結する帯状の保持手段５６が複数並べて設けられている。ここで、保持手段５６は、隣り合う外層部５３の一方に基部が取付けられた連結用面ファスナ５７と、隣り合う外層部５３の他方に取り付けられ、連結用面ファスナ５７の先側を掛止する掛止用面ファスナ５８とを有している。
これによって、分割側壁部５０、５０ａ、５０ｂ、５０ｃ（隣り合う外層部５３）の端部同士を連結することができ、接合部の補強が可能になる。
なお、支持部材５１を、分割側壁部５０、５０ａ、５０ｂ、５０ｃの収納部５５に挿入する際又は取り出す際は、連結用面ファスナ５７の先側を掛止用面ファスナ５８から取り外す。
【００３５】
図９に示すように、側壁部４８（任意の分割側壁部５０、５０ａ、５０ｂ、５０ｃ）の下部の任意の場所には、シート材４９を広げて形成される円筒槽の内側と連通する排水用の補助液路５９の基側が取付けられている。また、補助液路５９の先側には開閉可能な排出口６０が形成されている。
なお、補助液路は、側壁部４８の下部に周方向に沿って複数取付けてもよい。補助液路を連接部に沿って複数取付けることにより、状況に応じて最適な補助液路から排水を行うことができる。
【００３６】
続いて、本発明の第２の実施の形態に係るポータブル多機能槽４６の使用方法について説明する。
図９に示すように、折り畳まれた又はロール巻きされたシート材４９を開き、支持部材５１を挿入する収納部５５が設けられた分割側壁部５０（外層部５３）の周方向の一方側に配置されている保持手段５６の掛止状態を解除する。次いで、支持部材５１の先側を、分割側壁部５０の収納部５５の一方の開口部から挿入する。続いて、支持部材５１の先側が収納部５５の他方の開口部に近づくと、分割側壁部５０の他方側と分割側壁部５０ａの一方側との間に配置されている保持手段５６の掛止状態を解除し、支持部材５１の先側を分割側壁部５０ａの収納部５５の一方の開口部から挿入する。なお、支持部材５１の先側が通過すると、分割側壁部５０の他方側と分割側壁部５０ａの一方側との間に配置されている保持手段５６を掛止状態に復帰する。
【００３７】
そして、支持部材５１の先側が分割側壁部５０ｂの収納部５５を通過し、分割側壁部５０ｃの収納部５５の他方側の開口部に達すると、分割側壁部５０ｃの他方側と分割側壁部５０の一方側との間に配置されている保持手段５６を掛止状態に復帰する。これにより、円形底部４７により下部が封じられた上部開放の円筒槽が形成される。
なお、円筒槽に予め人又は物を入れておく必要がある場合は、折り畳まれた又はロール巻きされたシート材４９を一部開いて、円形底部４７の上に人又は物を配置し、それからシート材４９を完全に開いて、支持部材５１の挿入を開始する。
【００３８】
ポータブル多機能槽４６の使用を終える場合は、先ず、補助液路５９の排出口６０から円筒槽内の液体を排出させる。次いで、隣り合う分割側壁部５０、５０ａ、５０ｂ、５０ｃ間に配置されている保持手段５６の掛止状態を解除し、支持部材５１を分割側壁部５０、５０ａ、５０ｂ、５０ｃの各収納部５５から取り出す。そして、分割側壁部５０、５０ａ、５０ｂ、５０ｃの任意の部位を折り畳んで取り出し部を形成して円形底部４７の上に位置する人又は物を外部移動させる。
次いで、シート材４９の内面側を洗浄した後に乾燥させ、隣り合う分割側壁部５０、５０ａ、５０ｂ、５０ｃの間に配置されている保持手段５６を掛止状態に復帰する。そして、シート材４９を折り畳み又はロール巻きする。
【００３９】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
例えば、第1の実施の形態では長方形底部、長尺側壁部、及び短尺側壁部を、第２の実施の形態では円形底部及び分割側壁部をいずれもクロロプレンゴムを用いて形成したが、防水性を備えた材質であれば、他の種類のゴム又は可撓性を有する合成樹脂を用いて形成しても、ゴム及び可撓性を有する合成樹脂を組合せて形成してもよい。
また、第1の実施の形態では、シート材の隣り合う長尺側壁部と短尺側壁部の隣り合う端部同士を接着剤を介して接合して一体化し、第２の実施の形態では円形底部の周囲に分割側壁部を接着剤を介して接合することにより配置したが、長尺側壁部と短尺側壁部の隣り合う端部同士を、接着剤で接着し更に縫製することにより接合、又は熱融着によって接合して一体化してもよく、長尺側壁部と短尺側壁部の隣り合う端部同士を防水ファスナを介して接合することにより一体化してもよい。
更に、第1の実施の形態では、多角形の底部の一例として、四角形の底部である長方形底部の場合について説明したが、底部の形状を三角形又は五角形以上とすることもできる。
【符号の説明】
【００４０】
１０：ポータブル多機能槽、１１：長方形底部、１２、１３：長尺側壁部、１４、１５：短尺側壁部、１６：シート材、１７：長尺側支持部材、１８：長尺側収納部、１９：長尺側支持部材、２０：長尺側収納部、２１：短尺側支持部材、２２：短尺側収納部、２３：短尺側支持部材、２４：短尺側収納部、２５：内層部、２６：外層部、２６ａ：糸、２８、２９：開口部、、３０、３１：開口部、３２、３２ａ、３３、３３ａ：分割支持部材、３４：内層部、３５：外層部、３５ａ：糸、３６、３６ａ、３７、３７ａ：開口部、３８、３８ａ：面ファスナ、３９：補助液路、４０：排出口、４１、４２：ロール巻き固定用テープ、４３、４４：基部、４５：開口部、４６：ポータブル多機能槽、４７：円形底部、４８：側壁部、４９：シート材、５０、５０ａ、５０ｂ、５０ｃ：分割側壁部、５１：支持部材、５２：内層部、５３：外層部、５４：糸、５５：収納部、５６：保持手段、５７：連結用面ファスナ、５８：掛止用面ファスナ、５９：補助液路、６０：排出口